【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
ＯＦＤＭＡ方式又はＳＣＦＤＭＡ方式で通信する複数の端末と複数の基地局を備えた無線通信システムであって、
前記複数の基地局がそれぞれ、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末へのデータ送信に使用する周波数リソースとして、セル中心に存在する端末である第一の端末に、特定の周波数幅を持つ周波数リソース割当単位である周波数リソースブロックが周波数方向に既定個数連続した周波数リソースブロックグループの前記割当てを行い、
またセル端に存在する端末である第二の端末に、複数の前記周波数リソースブロックグループが隣接することなく周波数方向に特定の周期で繰り返す周波数リソースブロックグループサブセットに含まれる複数の前記周波数リソースブロックである第一の周波数リソースブロック群の前記割当てを行い、
前記データ送信に使用する周波数リソースの前記割当ての結果を自セル内に存在する前記複数の端末に通知するデータ送信用リソース通知手段を有する、ことを特徴とする無線通信システム。
【請求項２】
請求項１に記載の無線通信システムであって、
前記複数の基地局は複数の基地局群に分類され、
前記第一の周波数リソースブロック群の前記割当てを行う場合に、
同一の前記基地局群に属する基地局が、
同一の前記周波数リソースブロックグループサブセットに含まれる前記第一の周波数リソースブロック群の前記割当てを行い、且つ前記周波数リソースブロックグループサブセットは前記基地局群ごとに互いに異なる、
ことを特徴とする無線通信システム。
【請求項３】
請求項１に記載の無線通信システムであって、
前記複数の基地局がそれぞれ、
前記周波数リソースブロックグループが不足した場合に、前記第一の周波数リソースブロック群の前記第一の端末への前記割当てを行い、
前記第一の周波数リソースブロック群が不足した場合に、前記周波数リソースブロックグループの前記第二の端末への前記割当てを行う、
ことを特徴とする無線通信システム。
【請求項４】
請求項１に記載の無線通信システムであって、
前記複数の基地局がそれぞれ、
セル端とセル中心の境界に存在する第三の端末に、前記周波数リソースブロックグループまたは前記第一の周波数リソースブロック群のいずれか一方の前記割当てを行うことを特徴とする無線通信システム。
【請求項５】
ＯＦＤＭＡ方式又はＳＣＦＤＭＡ方式で通信する複数の端末と複数の基地局を備えた無線通信システムであって、
前記複数の基地局がそれぞれ、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末がそれぞれ前記通信を行う基地局へのデータ送信に使用する周波数リソースとして、
セル中心に存在する端末である第一の端末に、特定の周波数幅を持つ周波数リソース割当単位である周波数リソースブロックが周波数方向に連続した第一のリソースブロック群の前記割当てを行い、またセル端に存在する端末である第二の端末に、前記割当てを行う最低の周波数を有する周波数リソースを含む前記周波数リソースブロックと、前記割当てを行う最高の周波数を有する周波数リソースを含む前記周波数リソースブロックとの間に前記割当てを行わない少なくとも１つの前記周波数リソースブロックを含む複数の前記周波数リソースブロックの集合である第二のリソースブロック群の前記割当てを行い、
前記データ送信に使用する周波数リソースの前記割当ての結果を自セル内に存在する前記複数の端末に通知するデータ送信用リソース通知手段を有する、
ことを特徴とする無線通信システム。
【請求項６】
請求項５に記載の無線通信システムであって、
前記複数の基地局がそれぞれ、
前記第一のリソースブロック群の前記割当てに用いる第一の周波数領域と、前記第二のリソースブロック群の前記割当てに用いる第二の周波数領域との配分を動的に変化させ、前記配分に関する情報を自セル内に存在する前記複数の端末に通知することを特徴とする無線通信システム。
【請求項７】
請求項５に記載の無線通信システムであって、
前記基地局は複数の基地局群に分類され、前記第二のリソースブロック群の前記割当てを行う場合に、同一の前記基地局群に属する前記基地局が、同一の周波数帯に含まれる前記第二のリソースブロック群の前記割当てを行い、且つ前記同一の前記第二の周波数リソースブロックは前記基地局群ごとに互いに異なる、ことを特徴とする無線通信システム。
【請求項８】
請求項５に記載の無線通信システムであって、
前記複数の基地局がそれぞれ、
前記基地局のセル端と前記基地局のセル中心の境界に存在する第三の端末に、前記第一のリソースブロック群または前記第二のリソースブロック群のいずれか一方の前記割当てを行うことを特徴とする無線通信システム。
【請求項９】
請求項５に記載の無線通信システムであって、
前記複数の基地局がそれぞれ、前記第一のリソースブロック群が不足した場合に、前記第二のリソースブロック群の前記第一の端末への前記割当てを行い、
前記第二のリソースブロック群が不足した場合に、前記第一のリソースブロック群の前記第二の端末への前記割当てを行う、
ことを特徴とする無線通信システム。
【請求項１０】
ＯＦＤＭＡ方式又はＳＣＦＤＭＡ方式で通信する複数の端末と複数の基地局を備えた無線通信システムであって、
前記複数の基地局がそれぞれ、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末がそれぞれ前記通信を行う基地局へのデータ送信に使用する周波数リソースとして、
前記基地局のセル中心に存在する端末である第一の端末に、周波数ホッピングを行わないリソースの前記割当てを行い、また前記基地局のセル端に存在する端末である第二の端末に、周波数ホッピングを行うリソースの前記割当てを行い、
前記データ送信に使用する周波数リソースの前記割当ての結果を前記基地局から自セル内に存在する前記複数の端末に通知するデータ送信用リソース通知手段を有する、  ことを特徴とする無線通信システム。
【請求項１１】
請求項１０に記載の無線通信システムであって、
前記複数の基地局がそれぞれ、
前記周波数ホッピングを行わないリソースが不足した場合に、前記周波数ホッピングを行うリソースの前記第一の端末への前記割当てを行い、
前記周波数ホッピングを行うリソースが不足した場合に、前記周波数ホッピングを行わないリソースの前記第二の端末への前記割当てを行う、
ことを特徴とする無線通信システム。
【請求項１２】
請求項１０に記載の無線通信システムであって、
前記基地局は複数の基地局群に分類され、
前記周波数ホッピングを行うリソースの前記割当てを行う場合に、
同一の前記基地局群に属する前記基地局が、
同一の周波数領域における前記周波数ホッピングを行うリソースの前記割当てを行い、且つ前記同一の周波数領域は前記基地局群ごとに互いに異なる、
ことを特徴とする無線通信システム。
【請求項１３】
請求項１０に記載の無線通信システムであって、
前記複数の基地局がそれぞれ、
前記基地局のセル端と前記基地局のセル中心の境界に存在する第三の端末に、周波数ホッピングを行わないリソースまたは前記周波数ホッピングを行うリソースのいずれか一方の前記割当てを行うことを特徴とする無線通信システム。
【請求項１４】
請求項１０に記載の無線通信システムであって、
前記複数の基地局がそれぞれ、
前記周波数ホッピングを行わないリソースの前記割当てに用いる第一の周波数領域と、前記周波数ホッピングを行うリソースの前記割当てに用いる第二の周波数領域との配分を動的に変化させ、前記配分に関する情報を自セル内に存在する前記複数の端末に通知することを特徴とする無線通信システム。
【請求項１５】
ＯＦＤＭＡ方式又はＳＣＦＤＭＡ方式で複数の端末と通信する無線通信装置であって、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末へのデータ送信に使用する周波数リソースとして、
セル中心に存在する端末である第一の端末に、特定の周波数幅を持つ周波数リソース割当単位である周波数リソースブロックが周波数方向に既定個数連続した周波数リソースブロックグループの前記割当てを行い、またセル端に存在する端末である第二の端末に、複数の前記周波数リソースブロックグループが隣接することなく周波数方向に特定の周期で繰り返す周波数リソースブロックグループサブセットに含まれる複数の前記周波数リソースブロックである第一の周波数リソースブロック群の前記割当てを行い、
前記データ送信に使用する周波数リソースの前記割当ての結果を自セル内に存在する前記複数の端末に通知するデータ送信用リソース通知手段を有する、
ことを特徴とする無線通信装置。
【請求項１６】
ＯＦＤＭＡ方式又はＳＣＦＤＭＡ方式で複数の端末と通信する無線通信装置であって、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末からのデータ受信に使用する周波数リソースとして、
セル中心に存在する端末である第一の端末に、特定の周波数幅を持つ周波数リソース割当単位である周波数リソースブロックが周波数方向に連続した第一のリソースブロック群の前記割当てを行い、またセル端に存在する端末である第二の端末に、前記割当てを行う最低の周波数を有する周波数リソースを含む前記周波数リソースブロックと、前記割当てを行う最高の周波数を有する周波数リソースを含む前記周波数リソースブロックとの間に前記割当てを行わない少なくとも１つの前記周波数リソースブロックを含む複数の前記周波数リソースブロックの集合である第二のリソースブロック群の前記割当てを行い、
前記データ送信に使用する周波数リソースの前記割当ての結果を自セル内に存在する前記複数の端末に通知するデータ送信用リソース通知手段を有する、
ことを特徴とする無線通信装置。
【請求項１７】
ＯＦＤＭＡ方式又はＳＣＦＤＭＡ方式で複数の端末と通信する無線通信装置であって、
自セル内に存在する前記複数の端末が存在する位置を特定する位置特定手段と、自セル内に存在する前記複数の端末がデータを受信する受信電力の強度を判定する電力強度判定手段と、
自セル内に存在する前記複数の端末の前記位置または前記受信電力の前記強度に基づいて自セル内に存在する前記複数の端末に割当てを行う周波数リソースを決定する周波数割当制御手段とを有し、
前記周波数割当制御手段によって、
自セル内に存在する前記複数の端末からのデータ受信に使用する周波数リソースとして、
セル中心に存在する端末である第一の端末に、周波数ホッピングを行わないリソースの前記割当てを行い、またセル端に存在する端末である第二の端末に、周波数ホッピングを行うリソースの前記割当てを行い、
前記データ送信に使用する周波数リソースの前記割当ての結果を自セル内に存在する前記複数の端末に通知するデータ送信用リソース通知手段を有する、
ことを特徴とする無線通信装置。
【請求項１８】
ＯＦＤＭＡ方式又はＳＣＦＤＭＡ方式で基地局と通信する無線端末装置であって、
前記基地局から受信する信号の受信電力の強度を判定する電力強度判定手段と、
前記強度を前記基地局に通知する受信電力通知手段と、
前記強度に基づいて前記基地局によって割当てられたリソースを使用して、前記基地局からのデータ受信を行うデータ受信手段と、を有し、
前記データ受信手段は、
前記強度が既定の閾値以上の場合に、特定の周波数幅を持つ周波数リソース割当単位である周波数リソースブロックが周波数方向に既定個数連続した周波数リソースブロックグループを使用して前記データ受信を行い、前記強度が既定の閾値未満の場合に、複数の前記周波数リソースブロックグループが隣接することなく周波数方向に特定の周期で繰り返す周波数リソースブロックグループサブセットに含まれる複数の前記周波数リソースブロックである第一の周波数リソースブロック群を使用して前記データ受信を行う、ことを特徴とする無線端末装置。
【請求項１９】
請求項１記載の無線通信システムであって、
前記位置特定手段が、
自セル内に存在する前記複数の端末の中で前記受信電力の前記強度が既定の閾値以上である端末を前記第一の端末として記憶し、自セル内に存在する前記複数の端末の中で前記受信電力の前記強度が既定の閾値未満である端末を前記第二の端末として記憶することを特徴とする無線通信システム。
【請求項２０】
請求項１５に記載の無線通信装置であって、
前記位置特定手段が、
自セル内に存在する前記複数の端末の中で前記受信電力の前記強度が既定の閾値以上である端末を前記第一の端末として記憶し、自セル内に存在する前記複数の端末の中で前記受信電力の前記強度が既定の閾値未満である端末を前記第二の端末として記憶することを特
徴とする無線通信装置。